(57)【特許請求の範囲】
【請求項１】
屋根材（２）の上面に沿う上板（３）と、屋根材（２）の下面に沿う下板（４）と、該上板（３）と下板（４）とを連結する連結板（５）とを備えて、前記上板（３）と下板（４）とで屋根材（２）を上下に挟持するように屋根材（２）に対して嵌合可能に構成され、前記上板（３）側に、太陽電池モジュール取付用のラックをボルト（１０）で固定するための取付部（１１）が設けられ、
前記取付部（１１）は、上板（３）の上面に固着された一対の固定壁（１２）と、固定壁（１２）から立ち上がった一対の立ち上がり壁（１３）と、一対の立ち上がり壁（１３）の上端間に連結された天壁（１４）とを備え、取付部（１１）の天壁（１４）に挿通孔（１６）が設けられ、この挿通孔（１６）にボルト（１０）の軸部が上方突出するように挿通されていることを特徴とする太陽電池モジュール取付用の支持金具。
【請求項２】
前記上板（３）及び下板（４）にビス（８）等の固定具を挿通するための取付孔（９）が互いに対応するように設けられて、ビス（８）等の固定具により上板（３）及び下板（４）を屋根材（２）と共に野地板、垂木（２５）等の屋根用下地材に固定可能に構成されていることを特徴とする請求項１に記載の太陽電池モジュール取付用の支持金具。
【請求項３】
前記下板（４）の下面に、両面に接着剤を有する接着シート（１９）が貼り付けられ、該接着シート（１９）の下面に離型紙（２２）が貼り付けられていることを特徴とする請求項１又は２に記載の太陽電池モジュール取付用の支持金具。
【発明の詳細な説明】
【０００１】
【発明の属する技術分野】
本発明は、建物の屋根に配置される太陽電池モジュールを取り付けるための支持金具に関する。
【０００２】
【従来の技術】
従来、既設の屋根に結晶系の太陽電池モジュールを取り付ける場合、図６に示すようにボルト５１の軸部を上方突出するように挿通させるための挿通孔５２を有する板状の支持金具５３を用いるようにしたものがある。この支持金具５３を用いて太陽電池モジュールを取り付ける場合、まず、既設の屋根材を部分的に取り外した後、支持金具５３の取付孔５５を利用して支持金具５３をビス等で野地板，垂木等の屋根用下地材に固定し、次に部分的に取り外した屋根材を元通り施工して、支持金具５３のボルト５１の軸部が屋根面から上方突出した状態にする。その後、図７に示すように支持金具５３のボルト５１を利用して屋根上に縦ラック５７を取り付けると共に、縦ラック５７間に横ラック５８を取り付け、図８に示すように横ラック５８間に太陽電池モジュール５９を装着していた。
【０００３】
【発明が解決しようとする課題】
従って、従来では、支持金具５３を既設物件に使用する場合、屋根材を取り外す手間や元通りに施工する手間がかかっており、しかも支持金具５３は１棟（３ＫＷシステム）平均、２０〜３０個取り付ける必要があり、また、支持金具５３の１個につき、屋根材を最低３枚以上取り外す必要がある。従って、１棟平均では、６０〜９０枚の屋根材を取り外し、施工する必要があり、非常に手間がかかった。
【０００４】
また、屋根材とルーフィング（下葺材）が引っ付いていることが多いため、屋根材を取り外す際にルーフィングが破れ、このために屋根の防水性が落ちるおそれもあった。
そこで、本発明は上記問題点に鑑み、屋根材を取り外すことなく屋根に装着することができる太陽電池モジュール取付用の支持金具を提供するようにしたものである。
【０００５】
【課題を解決するための手段】
この技術的課題を解決するための本発明の技術的手段は、屋根材２の上面に沿う上板３と、屋根材２の下面に沿う下板４と、該上板３と下板４とを連結する連結板５とを備えて、前記上板３と下板４とで屋根材２を上下に挟持するように屋根材２に対して嵌合可能に構成され、前記上板３側に、太陽電池モジュール取付用のラックをボルト１０で固定するための取付部１１が設けられ、
前記取付部１１は、上板３の上面に固着された一対の固定壁１２と、固定壁１２から立ち上がった一対の立ち上がり壁１３と、一対の立ち上がり壁１３の上端間に連結された天壁１４とを備え、取付部１１の天壁１４に挿通孔１６が設けられ、この挿通孔１６にボルト１０の軸部が上方突出するように挿通されている点にある。
【０００６】
また、本発明の技術的手段は、前記上板３及び下板４にビス８等の固定具を挿通するための取付孔９が互いに対応するように設けられて、ビス８等の固定具により上板３及び下板４を屋根材２と共に野地板、垂木２５等の屋根用下地材に固定可能に構成されている点にある。
また、本発明の技術的手段は、前記下板４の下面に、両面に接着剤を有する接着シート１９が貼り付けられ、該接着シート１９の下面に離型紙２２が貼り付けられている点にある。
【０００７】
【発明の実施の形態】
以下、本発明の実施の形態を図面に基づいて説明する。
図１〜図４において、１は太陽電池モジュール取付用の支持金具で、例えば厚み１〜２ｍｍ程度のステンレス等の金属系の板材で構成され、屋根材２の上面に沿う上板３と、屋根材２の下面に沿う下板４と、該上板３と下板４とを連結する連結板５とを備える。上板３と下板４との間隔は約５〜８ｍｍに設定され、支持金具１は上板３と下板４とで屋根材２を上下に挟持するように屋根材２に対して嵌合可能に構成されている。
【０００８】
前記上板３及び下板４にビス８等の固定具を挿通するための取付孔９が互いに対応するように設けられて、ビス８等の固定具により上板３及び下板４を屋根材２と共に野地板、垂木等の屋根用下地材に固定可能に構成されている。
支持金具１の上板３側に、太陽電池モジュール取付用のラックをボルト１０等の締結具で固定するための取付部１１が設けられている。この取付部１１は、例えば厚み１〜２ｍｍ程度のステンレス等の金属系の板材で構成され、一対の固定壁１２と一対の立ち上がり壁１３と立ち上がり壁１３間の天壁１４とを備える。一対の固定壁１２は上板３の上面に溶接またはリベット等によって固着されて、上板３、下板４及び連結板５と取付部１１とは一体化されている。取付部１１の天壁１４に左右方向に長い挿通孔１６が設けられ、この挿通孔１６にボルト１０等の締結具の軸部を上方突出するように挿通可能になっている。
【０００９】
前記下板４の下面に、両面に接着剤を有するゴム化アスファルト製又はゴム系の接着シート１９が貼り付けられ、該接着シート１９の下面に離型紙２２が貼り付けられている。
前記実施の形態によれば、既設の屋根に太陽電池モジュール５９を取り付ける場合、支持金具１の下板４から離型紙２２を剥がし、図３〜図５に示すように左右に隣り合う屋根材２の軒側端部のジョイント部分に、上板３と下板４とで屋根材２を上下に挟持するように支持金具１を嵌合した後、上板３及び下板４の取付孔９を利用して支持金具１をビス８等で屋根用下地材である合板２４、垂木２５等に固定すればよく、屋根材２を取り外すことなく支持金具１を屋根に簡単かつ確実に装着することができる。そして、その後は、支持金具１のボルト１０を利用して、従来と同様に図７に示すように屋根上に縦ラック５７を取り付けると共に、縦ラック５７間に横ラック５８を取り付け、図８に示すように横ラック５８間に太陽電池モジュール５９を装着すればよい。
【００１０】
従って、支持金具１を利用して太陽電池モジュール５９を取り付ける場合、屋根材２を取り外したり、屋根材２を元通りに施工したりする手間がなくなり、既設屋根に太陽電池モジュール５９を簡単に取り付けることができる。また、このため、従来のように屋根材２を取り外す際等にルーフィング２６が破れて、屋根の防水性が落ちるようなおそれもなくなる。
なお、図４において、屋根材２と合板２４との間にルーフィング（下葺材）２６が設けられている。また、縦ラック５７は図２及び図３に示すようにチャンネル形状に形成され、その上壁部に長孔６１が設けられており、縦ラック５７を支持金具１の取付部１１上に載置して、ボルト１０の軸部を縦ラック５７の長孔６１に挿通して、ボルト１０の軸部にナット２７を螺合して締め付けることにより、縦ラック５７は支持金具１の取付部１１上に締め付け固定されている。
【００１１】
なお、前記実施の形態では、太陽電池モジュール取付用のラックは、チャンネル形状の縦ラック５７と横ラック５８とを別体に有し、両者をボルトや固定金具等で互いに連結するように構成されているが、太陽電池モジュール取付用のラックはこのようなものに限定されず、例えば縦ラックと横ラックとを一体に有するものであってもよい。
また、前記実施の形態では、固定具としてビス８を使用して、上板３及び下板４を垂木２５等の屋根用下地材に固定しているが、これに代え、固定具として釘その他を使用して、上板３及び下板４を垂木２５等の屋根用下地材に固定するようにしてもよいし、またビス８等を使用して、上板３及び下板４を野地板その他の屋根用下地材に固定するようにしてもよい。
。
【００１２】
また、前記実施の形態では、締結具としてボルト１０を使用して、太陽電池モジュール取付用のラックをボルト１０で支持金具１の取付部１１に締め付け固定するようにしているが、これに代え、締結具としてボルト１０以外の締結具を使用するようにしてもよい。
また、前記実施の形態では、取付部１１の天壁１４に左右方向に長い挿通孔１６が設けられ、ボルト１０等の取付部１１に対する挿通位置を左右に調整できるようにしているが、挿通孔１６はこのような形状のものに限定されず、例えば挿通孔１６を前後方向に長く形成して、ボルト１０等の取付部１１に対する挿通位置を前後に調整できるようにしてもよいし、また取付孔９を丸孔に形成し、ボルト１０等の取付部１１に対する挿通位置を前後及び左右に調整不能としてもよい。
【００１３】
【発明の効果】
本発明によれば、既設の屋根に太陽電池モジュールを取り付ける場合、支持金具１を屋根材を取り外すことなく屋根に装着することができて、屋根材を取り外したり、屋根材を元通りに施工したりする手間がなくなり、既設屋根に太陽電池モジュールを簡単に取り付けることができる。また、このため、従来のように屋根に太陽電池モジュールを取り付ける際にルーフィングが破れて、屋根の防水性が落ちるようなおそれもなくなる。
【図面の簡単な説明】
【図１】本発明の一実施の形態を示す斜視図である。
【図２】同側面断面図である。
【図３】同正面断面図である。
【図４】同屋根への支持金具及び縦ラックの取付状態を示す側面断面図である。
【図５】同屋根への支持金具の取付状態を示す平面図である。
【図６】従来例を示す支持金具の斜視図である。
【図７】屋根への縦ラック及び横ラックの取付状態を示す斜視図である。
【図８】屋根への太陽電池モジュールの取付状態を示す斜視図である。
【符号の説明】
１      支持金具
２      屋根材
３      上板
４      下板
５      連結板
８      ビス（固定具）
９      取付孔
１０    ボルト（締結具）
１１    取付部
１６    挿通孔
１９    シート
２１    接着剤
２２    離型紙
２５    垂木（屋根用下地材）
【図１】
0003609298.tif 000002
【図２】
0003609298.tif 000003
【図３】
0003609298.tif 000004
【図４】
0003609298.tif 000005
【図５】
0003609298.tif 000006
【図６】
0003609298.tif 000007
【図７】
0003609298.tif 000008
【図８】
0003609298.tif 000009